(57)【要約】【課題】免震装置上にコンクリート製人工地盤をコンクリートの現場打ちにて容易に構築することができる免震人工地盤の構築方法を提供する。【解決手段】免震人工地盤３の構築予定領域を型枠４で囲んでおき、基礎１の上に免震装置２を設置した後、基礎１上に砂を敷き詰めて支承層５を形成する。次に、支承層５の上に非透水性シート６を敷き、その上にコンクリートを打設して人工地盤３を形成する。人工地盤３のコンクリートが硬化した後、型枠４を取り外し、次いでジェットブロワー７で砂を吹き飛ばして支承層５を除去する。その後、人工地盤３の下面のシート６を剥がす。【選択図】図５
2006037461.tif 000002
【特許請求の範囲】
【請求項１】
免震装置上にコンクリート製人工地盤を構築する免震人工地盤の構築方法において、
該免震装置が配置された該人工地盤の構築予定領域の外周を型枠で囲んでおくと共に、該人工地盤の構築予定領域に粒状体を敷き詰めて支承層を形成し、
この型枠内にコンクリートを打設して該人工地盤を構築し、
その後、該型枠及び支承層を除去することを特徴とする免震人工地盤の構築方法。
【請求項２】
請求項１において、該支承層を転圧することを特徴とする免震人工地盤の構築方法。
【請求項３】
請求項１又は２において、該支承層の上に非透水性シートを敷いた後、コンクリートを打設することを特徴とする免震人工地盤の構築方法。
【請求項４】
請求項３において、前記支承層を除去した後、該シートを除去することを特徴とする免震人工地盤の構築方法。
【請求項５】
請求項１ないし４のいずれか１項において、前記粒状体は砂であることを特徴とする免震人工地盤の構築方法。
【請求項６】
請求項１ないし５のいずれか１項において、粒状体と容積体を併用することを特徴とする免震人工地盤の構築方法。
【請求項７】
請求項１ないし６のいずれか１項において、前記支承層を除去するに際し、流体を支承層に当て、該支承層を構成する粒状体を除去することを特徴とする免震人工地盤の構築方法。
【請求項８】
請求項７において、該流体は空気であることを特徴とする免震人工地盤の構築方法。
【発明の詳細な説明】
【技術分野】
【０００１】
本発明は免震装置上にコンクリート製人工地盤を構築する方法に関する。
【背景技術】
【０００２】
地震から建物を保護するために、免震装置上に人工地盤を構築し、この人工地盤上に建屋を建設することがある。特開２００３−１７６６３９号では、免震装置上にスラブを設置した免震人工地盤が記載されている。
【０００３】
このスラブとしては、従来、プレキャストコンクリート板（ＰＣ板）が用いられることが多いが、現場で型枠を組んでコンクリートを打設し、人工地盤を構築する現場構築法も行われている。
【０００４】
この現場構築法では、免震装置の上側に箱状の型枠を支保工で支持して設置し、この型枠内にコンクリート（まだ硬まらないコンクリート）を打設する。コンクリートが硬化した後、型枠を脱型し、支保工を撤去する。
【特許文献１】特開２００３−１７６６３９号公報
【発明の開示】
【発明が解決しようとする課題】
【０００５】
上記のように箱状型枠及び支保工を用いた人工地盤構築方法では、型枠及び支保工の資材コスト、運搬コストがかなりかかると共に、型枠組み立て、脱型、支保工の立設、人工地盤下側からの支保工の撤去等の作業に手間がかかる。
【０００６】
本発明は、免震装置上にコンクリート製人工地盤をコンクリートの現場打ちにて容易に構築することができる免震人工地盤の構築方法を提供することを目的とする。
【課題を解決するための手段】
【０００７】
請求項１の免震人工地盤の構築方法は、免震装置上にコンクリート製人工地盤を構築する免震人工地盤の構築方法において、該免震装置が配置された該人工地盤の構築予定領域の外周を型枠で囲んでおくと共に、該人工地盤の構築予定領域に粒状体を敷き詰めて支承層を形成し、この型枠内にコンクリートを打設して該人工地盤を構築し、その後、該型枠及び支承層を除去することを特徴とするものである。
【０００８】
請求項２の免震人工地盤の構築方法は、請求項１において、該支承層を転圧することを特徴とするものである。
【０００９】
請求項３の免震人工地盤の構築方法は、請求項１又は２において、該支承層の上に非透水性シートを敷いた後、コンクリートを打設することを特徴とするものである。
【００１０】
請求項４の免震人工地盤の構築方法は、請求項３において、前記支承層を除去した後、該シートを除去することを特徴とするものである。
【００１１】
請求項５の免震人工地盤の構築方法は、請求項１ないし４のいずれか１項において、前記粒状体は砂であることを特徴とするものである。
【００１２】
請求項６の免震人工地盤の構築方法は、請求項１ないし５のいずれか１項において、粒状体と容積体を併用することを特徴とするものである。
【００１３】
請求項７の免震人工地盤の構築方法は、請求項１ないし６のいずれか１項において、前記支承層を除去するに際し、流体を支承層に当て、該支承層を構成する粒状体を除去することを特徴とするものである。
【００１４】
請求項８の免震人工地盤の構築方法は、請求項７において、該流体は空気であることを特徴とするものである。
【発明の効果】
【００１５】
本発明の免震人工地盤の構築方法にあっては、人工地盤の構築予定領域の外周を型枠で囲んでおくと共に、粒状体を敷き詰めて支承層を形成し、その上にコンクリートを打設して人工地盤を構築する。従って、型枠は箱状である必要はなく、単に人工地盤の構築予定領域の外周を囲むだけでよく、型枠が簡易である。また、支承層は粒状体を敷くことにより形成されるため、支承層形成作業が極めて簡単であると共に、支保工を用いないので資材コスト、運搬コストも安価となる。さらに、コンクリートが硬化して人工地盤が形成された後、その下側から粒状体を取り出す作業も容易である。
【００１６】
請求項２のように、支承層を転圧することにより、支承層が締め固められる。また、支承層の上面が平坦になるから、構築される人工地盤の下面も平坦面となる。
【００１７】
請求項３のように、この支承層の上に非透水性シートを敷いた後、コンクリートを打設することにより、コンクリートが支承層中に染み込むことがなく、支承層の粒状体が人工地盤の下面に付着残留することも防止される。
【００１８】
請求項４のように、支承層を除去した後、このシートを除去することにより、極めて平滑な人工地盤下面を得ることができる。
【００１９】
請求項５の通り、この粒状体としては砂が安価であり、好適である。
【００２０】
請求項６のように、砂などの粒状体と共に、合成樹脂発泡体などの容積体を併用してもよい。このようにすれば、砂などの使用量を減少させることができる。
【００２１】
請求項７の通り、この支承層に流体を当てることにより、支承層を容易に除去することができる。この流体は水であってもよいが、請求項８のように空気を用いるならば、排水処理が不要になると共に、回収される粒状体も水と混ざっていないので、そのまま資材保管場所や次の現場へ運搬することができる。
【発明を実施するための最良の形態】
【００２２】
以下に、図面を参照して本発明の実施の形態について説明する。
【００２３】
第１図〜第７図は実施の形態に係る免震人工地盤の構築方法を示す断面図である。この実施の形態では、地盤（地面）Ｇ上にコンクリート製の基礎１が設けられ、この基礎１上に複数個の免震装置２が規則的に配置され、この免震装置２上にコンクリート製の人工地盤３（第７図）が構築される。
【００２４】
第１図の通り、まず、基礎１の構築予定領域を地表面から所定深さまで掘り下げて根切りし、敷き砂利、ローラによる転圧等を行うと共に、この基礎構築予定領域を囲むように型枠４を設置する。この際、地表面と基礎構築予定領域との段差面に沿って該型枠４の下部を地中に配置する。
【００２５】
なお、この実施の形態では、基礎１の構築予定領域と人工地盤３の構築予定領域とは実質的に略同一形状、同一面積となっている。該型枠４は、地表面から人工地盤３の構築予定高さ（構築された人工地盤３の上面が位置する高さ）よりも上位となる高さまで連続して上下方向に延在し、該基礎１と人工地盤３の双方の型枠となるよう構成されている。
【００２６】
次に、該基礎構築予定領域上にベタ配筋や配管スリーブ等を設けた後、型枠４内に所定高さまでコンクリート（まだ硬化していないコンクリート）を打設して基礎１を形成する（第１図）。
【００２７】
この基礎１のコンクリートが硬化した後、この基礎１の上面のレベル出し等を行い、その後、所定の配置にてこの基礎１上に免震装置２を設置する（第２図）。この際、免震装置２の下部を基礎１に固定するのが好ましい。
【００２８】
なお、免震装置２の種類は特に限定されるものではなく、例えば、滑り支承装置や転がり支承装置、積層ゴム支承装置などの各種の免震装置を用いることができる。また、この免震装置２と共に、設備配管類、各種のダンパや人工地盤復位装置等を併設してもよい。
【００２９】
次に、この基礎１の上に、各免震装置２の上面と略同一高さまで粒状体としての砂を敷き詰め、支承層５を形成する（第３図）。この際、該支承層（砂）５をローラによって転圧し、これを締め固めると共に、該支承層５の上面を平坦なものとする。
【００３０】
次いで、この支承層５の上に非透水性シート６を敷く（第４図）。このシート６としては、ＪＩＳ  Ａ  ６９３０（住宅用プラスチック系防湿フィルム）、ＪＩＳ  Ｚ  １７０２（包装用ポリエチレンフィルム）もしくはＪＩＳ  Ｋ  ６７８１（農業用ポリエチレンフィルム）に適合するもの又はこれらと同等以上の効力を有する防湿フィルムで厚さ０．１ｍｍ以上のものなどが好適である。パッシブソーラーシステムを構築する場合には、シート６は、厚さ２０ｍｍ以上程度の発泡合成樹脂の断熱材であってもよい。
【００３１】
その後、この非透水性シート６の上に配筋を設けると共に、所定高さまでコンクリート（まだ硬まらないコンクリート）を打設し、人工地盤３を形成する（第５図）。
【００３２】
この人工地盤３のコンクリートが硬化した後、型枠４を取り外す。その後、ジェットブロワー７で支承層５に風（空気）を強く吹き当てて該支承層５を構成する砂を吹き飛ばし、該支承層５を除去する。
【００３３】
その後、第６〜７図の通り、人工地盤３の下面のシート６を除去する。これにより、免震装置２で支承された免震人工地盤３が構築される。
【００３４】
かかる免震人工地盤３の構築方法にあっては、人工地盤３の構築予定領域の外周を型枠４で囲んでおくと共に、基礎１の上に砂を敷き詰めて支承層５を形成し、その上にコンクリートを打設して人工地盤３を構築するので、型枠４は、単に人工地盤構築予定領域を囲む簡易なもので足りる。また、該支承層５は基礎１の上に砂を敷くことにより形成されるため、支承層形成作業が極めて簡単であると共に、支保工を用いないので、資材コスト、運搬コストも安価となる。さらに、人工地盤３のコンクリートが硬化した後、その下側から支承層（砂）５を取り去るのも容易である。
【００３５】
この実施の形態では、支承層（砂）５を敷き詰める際にこれをローラにより転圧しているので、該支承層５が締め固められてしっかりと人工地盤３を支承することができるようになる。また、支承層５の上面が平坦なものとなり、構築される人工地盤３の底面も平坦となる。
【００３６】
この実施の形態では、支承層５の上に非透水性シート６を敷いてから人工地盤３のコンクリート打ちを行っているので、コンクリートが支承層５に染み込むことがなく、支承層５の砂が人工地盤３の下面に付着残留することが防止される。
【００３７】
この実施の形態では、支承層５を構成する粒状体として安価な砂を用いているが、これ以外の粒状体を用いてもよい。
【００３８】
また、この実施の形態では砂（粒状体）のみで支承層５を形成しているが、支承層５の中にボリュームがあり且つ転圧やコンクリート重量を受けても変形しない合成樹脂発泡体等の容積体を埋め込むことにより、砂（粒状体）の使用量を低減させるようにしてもよい。容積体は基礎１上に予め配置しておくのが好ましいが、砂を敷いている途中で配置してもよい。容積体は直方体、立方体、円盤状等であってもよく、他の形状であってもよい。
【００３９】
この実施の形態では、支承層５の砂（粒状体）を除去するのに空気を用いているが、水等の他の流体を用いて砂を除去してもよい。なお、空気を用いて砂を除去することにより、砂が水と混ざり合って濡れることがなく、そのまま資材保管場所や次の現場へ運搬することができる。
【００４０】
このように構築されたコンクリート製免震人工地盤３は、比較的大きなスペースを確保することができるため、例えば、中庭やピロティ（縁側）付きの住居を建設する場合、この住居の全体（中庭やピロティ等を含めた全体）をこの免震人工地盤３上に建設することが可能である。また、将来的に増築や改築を行うための余分なスペースを予め免震人工地盤３上に確保しておくこともできる。さらに、このコンクリート製免震人工地盤３を蓄熱体として利用することにより、パッシブソーラーシステムを構築することも可能である。
【００４１】
なお、上記の実施の形態は本発明の一例を示すものであり、本発明は上記の実施の形態に限定されるものではない。例えば、上記実施の形態では基礎１に免震人工地盤３を構築しているが、前記特開２００３−１７６６３９号のように地上構築物の上に免震装置２を介して人工地盤３を構築してもよい。人工地盤３の平面形状は方形のほか、各種形状としうる。非透水性シート６は少なくとも一部を剥さずに残置してもよい。
【図面の簡単な説明】
【００４２】
【図１】実施の形態に係る免震人工地盤の構築方法の説明図である。
【図２】実施の形態に係る免震人工地盤の構築方法の説明図である。
【図３】実施の形態に係る免震人工地盤の構築方法の説明図である。
【図４】実施の形態に係る免震人工地盤の構築方法の説明図である。
【図５】実施の形態に係る免震人工地盤の構築方法の説明図である。
【図６】実施の形態に係る免震人工地盤の構築方法の説明図である。
【図７】実施の形態に係る免震人工地盤の構築方法の説明図である。
【符号の説明】
【００４３】
１  基礎
２  免震装置
３  人工地盤
４  型枠
５  支承層（砂）
６  非透水性シート
【図１】
2006037461.tif 000003
【図２】
2006037461.tif 000004
【図３】
2006037461.tif 000005
【図４】
2006037461.tif 000006
【図５】
2006037461.tif 000007
【図６】
2006037461.tif 000008
【図７】
2006037461.tif 000009